(57)【特許請求の範囲】
【請求項１】
情報再生装置に位置特有の方法でコンテンツを伝達するシステムであって、
少なくとも第１情報再生装置と第２情報再生装置の地理的位置を、該第１及び第２装置から送信された信号から判断する位置追跡システムと、
前記位置追跡システムから位置情報を受信する送受信機と、
前記送受信機と通信し、地理的エリアを複数のセルを有する仮想グリッドに分割可能なソフトウェアがインストールされた、少なくともひとつのサーバと、
前記少なくともひとつのサーバと通信し、（ａ）前記複数のセルの第１セルに位置する前記第１情報再生装置に対して第１コンテンツ群を、及び、（ｂ）前記複数のセルの第２セルに位置する前記第２情報再生装置に対して第２コンテンツ群を送信可能な送信機とを備え、
第１コンテンツ群は第２コンテンツ群と異なり、第１セルは第２セルと異なり、
前記第１及び第２情報再生装置がそれぞれ複数の異なるアプリケーションを有し、前記送信機から前記第１及び第２情報再生装置に提供されるコンテンツが該第１及び第２情報再生装置で実行する特定のアプリケーションにより変化することを特徴とするシステム。
【請求項２】
前記情報再生装置は、受信した位置情報に基づきソフトウェアによりセルが割り当てられることを特徴とする請求項１に記載のシステム。
【請求項３】
前記ソフトウェアは、（ａ）少なくとも第１コンテンツプロバイダ及び第２コンテンツプロバイダから複数のセルのうちのあるセルについて入札を受け付けること、及び、（ｂ）どのコンテンツプロバイダが該セルについて落札した入札を提示したか判断することが可能であることを特徴とする請求項１に記載のシステム。
【請求項４】
サーバが、少なくとも第１コンテンツプロバイダ及び第２コンテンツプロバイダにより提供されるコンテンツファイルを含むデータベースを備えることを特徴とする請求項１に記載のシステム。
【請求項５】
前記第１コンテンツプロバイダは、提供したデータベースを構成するファイルを修正でき、第２コンテンツプロバイダにより提供されたデータベースを構成するファイルを修正できないことを特徴とする請求項４に記載のシステム。
【請求項６】
前記複数のセルのうちの前記セルは、それぞれほぼ同じ寸法を有することを特徴とする請求項１に記載のシステム。
【請求項７】
前記複数のセルのうちの前記セルは、経度及び緯度で定義されることを特徴とする請求項１に記載のシステム。
【請求項８】
コンピュータ読み取り可能な記録媒体であって、当該記録媒体が、
地理的エリアを複数のセルを有する仮想グリッドに分割し、
少なくとも第１コンテンツプロバイダ及び第２コンテンツプロバイダから前記複数のセルのうちのあるセルについて入札を受け付け、
前記セルについての落札した入札を提示する前記コンテンツプロバイダから提供されるコンテンツを取得し、
前記セルに位置する情報再生装置に取得されたコンテンツの少なくとも一部を送信するためのソフトウェアを備え、
前記情報再生装置が複数の異なるアプリケーションを有し、前記情報再生装置に送信されるコンテンツが該情報再生装置で実行する特定のアプリケーションにより変化することを特徴とするコンピュータ読み取り可能な記録媒体。
【請求項９】
方法であって、当該方法が、
（ａ）地理的エリアを複数のセルを有する仮想グリッドに分割するステップと、
（ｂ）少なくとも第１コンテンツプロバイダ及び第２コンテンツプロバイダから前記複数のセルのうちのあるセルについて入札を受け付けるステップと、
（ｃ）前記セルについて落札した入札を提示する前記コンテンツプロバイダから提供されるコンテンツを取得するステップと、
（ｄ）前記セルに位置する情報再生装置に取得されたコンテンツの少なくとも一部を送信するステップとを含み、
前記情報再生装置が複数の異なるアプリケーションを有し、前記情報再生装置に送信されるコンテンツが該情報再生装置で実行する特定のアプリケーションにより変化することを特徴とする方法。
【発明の詳細な説明】
【技術分野】
【０００１】
関連出願についてのクロスリファレンス
本出願は、それぞれ、２００９年３月４日および２００９年４月２８日に出願された米国仮特許出願第６１／１５７，２２４号および第６１／１７３，２６４号の優先権を主張する。
【０００２】
本発明は、概略、情報通信方法およびシステムに関する。より具体的には、本発明は、位置および／またはアプリケーション特有の方法で、情報再生装置に情報を提供するシステムのコンテンツプロバイダに、仮想グリッドによって定義される別々の地理的領域（セル）へのコンテンツ提供権を割り当てるための方法およびシステムに関する。
【背景技術】
【０００３】
この２０年、ニュース、広告又は他のコンテンツなどの情報が長距離を超えて視聴者に送信される方法に大変革がみられた。インターネットと、コンピュータ、電子広告掲示板、グローバルポジショニング装置および携帯電話などの情報再生装置の普及につれて、個人に提供される情報量が急速に拡大している。このような利用可能な多大な情報について、コンテンツプロバイダは、おそらく、それを使用するために人口統計への情報を効率的に編成して送信する方法の課題に取り組んでいる。
【発明の概要】
【０００４】
本発明は、種々の優先度および選択方式に従い、仮想グリッド内のセルをコンテンツプロバイダに割り当てるためのシステム及び方法の開発に関する。セル割当システムおよび方法は、地理的におよび／またはアプリケーション選択的に、情報再生装置へのコンテンツ配信をターゲットにするために用いることができる。本発明のシステムおよび方法の優先順位方式、地理的選択性およびアプリケーション選択性により、コンテンツプロバイダが高い費用効果および柔軟性で所望の地理的位置を具体的にターゲットにできるようになる。本発明のシステム及び方法の利点は、巨大リソースに限られたコンテンツプロバイダにアクセス可能であり、ターゲットとされた位置にリアルタイム関連情報を選択的に提供でき、非効率性を減らす入札処理を使用することができる。
【０００５】
本発明によるセル割当システムおよび方法は、情報提供システムにおける使用に特に適切であり、当該情報提供システムは、情報再生装置に情報を送信するために、それらの位置に従って、オプションとしてアプリケーション特有の方法で、地理的エリアを別々の仮想セルに分けるコンピュータ実行仮想グリッドシステムと連携して使用される位置追跡システムを含む。一実施例において、本発明の方法およびシステムは、特定のアプリケーション（例えば、ウェブブラウザまたはゲームまたはユーティリティなどの他のアプリケーション）を開く第１のセルに位置する、適切に構成された携帯電話（例えば、アップルのｉＰｈｏｎｅ）すべてに対して、広告主が第１の特定の広告をターゲットとしながら、同時に特定のアプリケーションを開く第１のセル以外の第２のセルに位置する、適切に構成された携帯電話すべてに対して、第２の特定の広告をターゲットにできるようにする目的のために、仮想グリッド内でセルを割り当てるのに用いることができる。
【０００６】
本発明のセル割当システムおよび方法の優先順位方式は、ひとつ又は複数の潜在的コンテンツプロバイダが所与のセルまたは所与のセル内の時間枠またはアプリケーションに関して入札するオークションを使用してもよい。オークションは、例えば、イングリッシュオークション、ダッチオークション、封印第１価格オークション、ヴィッカリーオークション、買収オークションまたは組合せのオークションの形でもよい。オークションは、予約ありまたはなしのものとすることができる。支払いのあるコンテンツプロバイダに割り当てられないセルについて、アプリケーション開発者は、費用がほとんどかからないか全くかからずに、アプリケーションを広告するためにセルの使用を提供されることができる。アプリケーション広告を選択している情報再生装置ユーザは、セル割当システムの所有者によって供給されるひとつ又は複数のペイ・パー・クリック広告を含むことができるアプリケーションにリダイレクトされることができる。このようなペイ・パー・クリック広告からの収入は、アプリケーションの所有者およびセル割当システムの所有者によって分配されることができる。
【０００７】
情報再生装置に対してコンテンツを選択的にターゲットにするシステムにおいて、ターゲットの情報再生装置の場所は、全地球測位システム（ＧＰＳ）、携帯電話通信網、ＷＩ−ＦＩまたは緯度と経度に従って装置の位置を追跡する他のシステムなどの位置追跡システムを用いて取得できる。装置の場所は、（例えば、ＷＩ−ＦＩまたは携帯電話通信網を用い、インターネットおよび／または、他の通信ネットワークを介して）サーバに送信されることができる。サーバ上のソフトウェアは、情報再生装置の物理的な位置を仮想グリッド上の対応する場所（例えば、セル）と関連づけ、そして、情報再生装置に、装置のＩＰアドレスまたは他の適切な識別子を用いて、無線通信網（例えば、携帯電話通信網またはＷＩ−ＦＩ）を介して位置特有の情報（例えば、ターゲットされた広告）を送信させる。
【０００８】
この処理は、仮想グリッド内の所与のセルにおけるすべての適切に構成された情報再生装置に対して実行されることができ、セル内のすべての情報再生装置について、情報が選択的にターゲットにされることができるようにする。この処理は、複数の異なるセルについて（例えば、少なくとも１０、１００、１，０００、１０，０００、または１００，０００セルについて）同時に実行されることもでき、複数の異なる情報の組が、システム内の異なるセルに位置選択の方法でターゲットにされるようにする。従って、１つのエリアから他のエリアに情報再生装置を移動することで、装置に送信される情報が変更させることができる。必要というわけではないが、本処理は、情報再生装置ユーザの特定のアプリケーションの起動または予め定められたウェブページへのアクセスに関連してだけ生じることができる。
【０００９】
従って、一態様において、本発明は、通信ネットワークに通信で接続された少なくともひとつのサーバと、少なくとも一つのサーバにインストールされたソフトウェアであって、地理的エリアを複数のセルを有する仮想グリッドに分割し、少なくとも第１コンテンツプロバイダ及び第２コンテンツプロバイダから前記複数のセルのうちのあるセルについて入札を受け付け、前記セルについての落札した入札を提示する前記コンテンツプロバイダから提供されるコンテンツをアップロードし、前記セルに位置する情報再生装置にアップロードされたコンテンツの少なくとも一部を、例えば位置及び／又はアプリケーション特有の方法で送信することが可能な上記ソフトウェアとを含むシステムを特徴とする。
【００１０】
他の態様において、本発明は、地理的エリアを複数のセルを有する仮想グリッドに分割し、少なくとも第１コンテンツプロバイダ及び第２コンテンツプロバイダから前記複数のセルのうちのあるセルについて入札を受け付け、前記セルについての落札した入札を提示する前記コンテンツプロバイダから提供されるコンテンツをアップロードし、前記セルに位置する情報再生装置にアップロードされたコンテンツの少なくとも一部を、例えば位置及び／又はアプリケーション特有の方法で送信するためのソフトウェアを含むコンピュータ読み取り可能な記録媒体である。
【００１１】
また、地理的エリアを複数のセルを有する仮想グリッドに分割するステップと、少なくとも第１コンテンツプロバイダ及び第２コンテンツプロバイダから前記複数のセルのうちのあるセルについて入札を受け付けるステップと、前記セルについて落札した入札を提示する前記コンテンツプロバイダから提供されるコンテンツをアップロードするステップと、前記セルに位置する情報再生装置にアップロードされたコンテンツの少なくとも一部を送信するステップとを含む方法も本発明の範囲内である。
【００１２】
別途定義されない限り、本明細書において用いられるすべての技術用語は、本発明が属する分野の当業者によって共通に理解されるのと同じ意味を有する。本明細書に説明されるものと同様又は等価な方法および材料が本発明の実施またはテストに用いられることができるが、適切な方法および材料を以下説明する。本明細書で言及する刊行物、特許出願、特許および他の引用例はすべて、全体的に組み込まれる。抵触する場合には、定義を含め、本明細書がコントロールするであろう。
【図面の簡単な説明】
【００１３】
【図１】図１は、情報再生装置ユーザにより用いられる位置ベースの通信システムの概略図である。
【発明を実施するための形態】
【００１４】
本発明は、種々の優先及び選択スキームに従いコンテンツプロバイダに仮想グリッド内のセルを割り当てるシステム及び方法を提供する。セル割当システム及び方法は、位置及び／又はアプリケーション選択の方法で情報再生装置に情報を伝達するシステムに用いられることができる。通信される情報は、テキスト、グラフィックス、（グリッドとやりとりするマップ上の所定のエリアを識別する）正確な位置、写真、画像、映像、及び／又は、音声で出されることができる。本発明は、これに限定されないが、データ、クーポン、インセンティブ、申出、プロモーション、販売、割引、無料のいつもの折り込み広告、ブログ、マイクロブログ、ツイート、ピンポイント、バーコード、公示、緊急警報、メモ、アクショントリガ、聞き取りなどを含む種々の情報を伝達するのに用いることができる。
【００１５】
本明細書で説明される方法及びシステムは、例えば広告、情報、申出、インセンティブ、クーポン及びプロモーションなどのコンテンツを出すために入札（例えば、バッチ当たりのコスト、クリック当たりのコスト及び／又はアクション当たりのコストのオプション）を通して仮想固定セルの市場をつくるために用いることができる。通信ネットワーク（例えば、インターネット）に関するマッピングレコードの電子化された電子データベースで、一意に識別された仮想セル（または一連のセル）をオークションにかけることは、入札されるのに利用可能なセルを識別する固有のＩＤを生成すると、セルを一意に識別する識別コードを発生すること、そしてセルに配置するコンテンツについて配置をスケジューリングすること、を含むことができる。セルは、電子化されたデータベースと連携して実行するワールドワイドウェブ・マッピングモジュールを介して、オークション（入札）のため参加者に提示されることができる。マッピングレコードの電子化された固定座標データベースと連携して実行する処理により、インターネットのような通信ネットワークを介して、参加者（例えば、コンテンツプロバイダ、会社、政府機関または個人）から品目に対する入札を受けることができる。
【００１６】
データベース利用電子市場システムは、仮想広告掲示板グリッドおよび電子市場（例えば、広告主）内にひとつ又は複数の利用可能なセルの一覧に対応する情報を格納するデータ保存領域を含むことができ、電子市場は、データ保存領域のひとつ又は複数の品目の一覧に対し、広告、クーポン、インセンティブ、販売、ピンポイント、ブログ、マイクロブログ、ツイート、プロモーションまたは他の情報を提供する。本明細書で説明するシステムは、検索エンジン、コンテンツ、及び、コンピュータまたは無線ネットワークで利用可能な固定セルのインタラクティブなリンクを利用できる。例えば、検索エンジンでの検索要求に応答して、検索要求に対応する動的な情報またはコンテンツへの参照ポインタ（例えば、仮想ビルボードグリッド内の、および／または、システムのデータベースに関連するセル）を返すことができる。
【００１７】
本発明の種々の態様は、システム、方法またはコンピュータプログラム製品（例えば、組み込まれるコンピュータ読み取り可能なプログラムコードを有するひとつ又は複数のコンピュータ読み取り可能な媒体で実現される）として実現でき、ハードウェア、ソフトウェアまたはソフトウェアとハードウェアの組合せの形かもしれない。コンピュータ読み取り可能な媒体は、コンピュータ読み取り可能な信号媒体（例えば、電気、磁気、光学、電磁気、赤外線または半導体のシステム、装置またはデバイス、または前述の適切な組合せ）またはコンピュータ読み取り可能な記録媒体（例えば、ひとつ又は複数の配線を有する電気接続、携帯用コンピュータディスケット、ハードディスク、ランダムアクセスメモリ（ＲＡＭ）、リードオンリーメモリ（ＲＯＭ）、消去可能なプログラマブル・リードオンリメモリ（ＥＰＲＯＭまたはフラッシュメモリ）、光ファイバ、携帯用コンパクトディスク・リードオンリーメモリ（ＣＤ−ＲＯＭ）、光記憶デバイス、磁気記憶デバイスまたは前述の適切な組合せ）でもよい。
【００１８】
コンピュータ読み取り可能な信号媒体は、例えばベースバンドで又は搬送波の一部として、伝達されるデータ信号を、そこに組み込まれるコンピュータ読み取り可能なプログラムコードとともに含むことができる。このような伝達される信号は、これらに限定されないが、電磁気、光学又はそれらの適切な組み合わせを含む様々な形態のいずれかをとることができる。コンピュータ読み取り可能な信号媒体は、コンピュータ読み取り可能な記録媒体ではなく、かつ、通信し、伝達し、または、命令実行システム、装置またはデバイスにより、またはそれに関連してプログラムを移動できるコンピュータ読み取り可能な媒体でもよい。
【００１９】
コンピュータ読み取り可能な媒体上に実現されるプログラムコードは、これらに限定されないが、無線、有線、光ファイバケーブル、無線周波数など、又は前述の適切な組合せを含む適切な媒体を使用して送信されることができる。本発明の態様についての動作を実行するためのコンピュータプログラムコードは、Ｊａｖａのようなオブジェクト指向プログラミング言語、Ｓｍａｌｌｔａｌｋ、Ｃ＋＋、及びＣ言語のような手続き型プログラミング言語を含むひとつ又は複数のプログラミング言語の組合せで書かれることができる。プログラムコードは、ユーザのコンピュータで全体的に、リモートコンピュータまたはサーバで全体的に、又は、ユーザのコンピュータで部分的に、そして、リモートコンピュータまたはサーバで部分的に実行できる。リモートコンピュータは、いかなるタイプの通信ネットワーク、例えば、ローカルエリアネットワーク、ワイドエリアネットワークまたはインターネットを介してユーザのコンピュータと通信してもよい。
【００２０】
選択的に情報を伝達するシステム
図１を参照し、一実施例において、セルを割り当てるための本システム及び方法は、位置選択の方法で情報再生装置１０２に情報を伝達するシステム１００と連動して実行されることができる。位置選択の方法で情報再生装置１０２に情報を伝達するシステム１００は、位置追跡システムに信号を送信し、外部ソースから信号を受信するよう構成できる情報再生装置１０２を含むことができ、情報再生装置１０２の地理的位置（例えば、経度及び緯度に関して）を判断する位置追跡システム１０４と、位置追跡システム１０４から位置情報を受信する送受信機１０６と、送受信機１０６と通信し、マッピングソフトウェアと仮想グリッドを生成するソフトウェアとを含み、一連の情報がサーバ１０８のデータベース１１０に記憶されたサーバ１０８と、サーバ１０８と通信し、位置選択の方法で情報再生装置１０２に情報を送信可能な送信機１１２とを含むことができる。上述の構成要素の各々は、複数含まれることができ、例えば、本発明は、ひとつ又は複数のコンピュータ、情報再生装置、位置追跡システム、送受信機、異なる情報群および送信機を含むことができる。マッピングソフトウェアおよび仮想グリッド生成ソフトウェアは、（ネットワーク化されてもよい）ひとつ又は複数のサーバにインストールされてもよい。情報再生装置１０２は、位置追跡システムと通信的に接続されることができる。
【００２１】
位置追跡システム１０４は、情報再生装置の地理的位置を判断可能なシステムとすることができる。例えば、位置追跡システムは、ＧＰＳ（例えば、ＮＡＶＳＴＲ  ＧＰＳ）または複数の信号モニタ（例えば、セルタワーまたはＷＩ−ＦＩ送受信機）で測定されるような信号の強さで装置位置を判断する三角測量システムとすることができる。場合によっては、位置追跡システム１０４により得られる位置情報は、座標を丸めてばくぜんとした位置にしてもよく、または具体的な位置データの特異性を減らすために、ファジー論理処理を使用してもよい。
【００２２】
情報再生装置１０２は、ユーザに情報を伝達し、位置情報を位置追跡システム１０４に送信し、送信機１１２から送られる情報を受信可能な適切な装置とすることができる。情報再生装置１０２は、携帯型か、固定のもの（例えば、移動しにくいように適当な場所に固定されたもの）とすることができる。このような装置の例は、携帯電話、携帯情報端末、衛星テレビ送受信機、衛星ラジオ、無線コンピュータネットワークに接続された装置、コンピュータ（例えば、ネットブックおよびノートパソコン）、固定デジタル広告掲示板、腕時計および無線通信能力を有するＭＰ３プレーヤ、交通デジタル広告掲示板および、または装置、及び、ＧＰＳナビゲーション装置を含む。
【００２３】
位置追跡システム１０４から位置情報を受信する送受信機１０６は、情報再生装置１０２から信号を受信して、サーバ１０８にこのような信号を伝達可能な装置の形をとることができる。このように、送受信機１０６は、アンテナを含む装置とすることができ、信号を変調し及び復調して、このような信号をある形式から他の形式へ変換する。送受信機１０６は、有線および／または無線の通信ネットワークを超えて動作してもよい。例えば、送受信機１０６は、ＩＥＥＥ  ８０２無線通信（例えば、８０２．１１、８０２．１６、ＷＰＡ、ＷＰＡ２、ＴＤＭＡ、ＣＤＭＡ、ＷＣＤＭＡ、ＧＳＭ、ＧＰＲＳ、ＵＴＭＳ、３Ｇ、４Ｇ、ＥＵＴＡＮ、ＵＭＢ、ＯＦＤＭまたはＬＴＥシステム）を介してデータを伝達するように構成されることができる。送受信機１０６は、また、ＴＣＰ／ＩＰなどの通信プロトコルを用いる無線通信リンクを超えて伝達するように構成されてもよい。いくつかの実施例では、送受信機１０６は、情報再生装置１０２自体に組み込まれることができる。そのほかに、配線接続された装置、例えば、送信できる個々のコードが各々割り当てられる道路沿いのビルボードのネットワークを用いることができる。
【００２４】
サーバ１０８は、マッピングプログラムおよび／または所与の地理的エリアを２つ以上の分離したセルに分割する仮想グリッドを作成するためのプログラムなどのひとつ又は複数のコンピュータプログラムを実行する、コンピュータ又は一連のコンピュータとすることができる。サーバ１０８は、送受信機１０６および送信機１１２と通信できる。サーバ１０８は情報再生装置１０２に送信できる情報（例えば、広告）に対応するデータを記憶するメモリストアを含んでもよい。情報再生装置１０２は、サーバ１０８から（例えば、１、２、５、１０、５０、１００、５００ｋｍまたはそれ以上）離れて位置することができる。メモリストアに記憶される情報は、音声および／または映像データを含んでもよい。マッピングソフトウェアは、サーバ１０８で実行でき、情報再生装置１０２の位置データを処理可能なプログラムとすることができる。仮想グリッドソフトウェアは、所与の地理的エリアを少なくとも２つの分離した（または場合によっては、重複する）仮想セル１１４に分割できるプログラムとすることができる。例えば、地球全体、国、大陸、都市または地域が、ソフトウェアによって作成された仮想グリッド１１６で覆われてもよい。実施例では、複数のセル１１４の各々は、０．１、０．５、１、２、３、４、５、６、７、８、９、１０、１５、２５、５０、７５、１００、２００、３００、４００、５００、１０００またはそれ以上の平方ｋｍ以上の領域を定める規則的な又は不規則な多角形（例えば、四角形、正方形、長方形、菱形、三角形、五角形、六角形または八角形）とすることができる。本システムの他の実施例において、仮想グリッド１１６の各セルは、およそ０．２５ｋｍ×０．２５ｋｍ、０．５ｋｍ×０．５ｋｍ、０．７５ｋｍ×０．７５ｋｍ、０．５ｋｍ×１ｋｍ、１ｋｍ×１ｋｍ、１．５ｋｍ×１．５ｋｍ、１ｋｍ×２ｋｍ、２ｋｍ×２ｋｍ、１ｋｍ×３ｋｍ、５ｋｍ×５ｋｍ、１０ｋｍ×１０ｋｍ、２５ｋｍ×２５ｋｍ、５０ｋｍ×５０ｋｍ、又は、１００ｋｍ×１００ｋｍの面積を有することができる。他の実施例では、複数のセル１１４の各々は、例えば経度０．０００１、０．００１、０．０１、０．１、１または２度×緯度０．０００１、０．００１、０．０１、０．１、１または２度以上などの経度および緯度により定義されることができる。セル１１４は、異なるサイズおよび／または形状の、および／または人口サイズ（例えば、各セルに、人数で１０００−２０００、２０００−３０００、３０００−５０００、５０００−１０，０００、１０，０００−２５，０００、２５，０００−５０，０００，５０，０００−１００，０００、又は１００，０００人超）により定義される非多角形でもよい。
【００２５】
送信機１１２は、サーバ１０８と通信的に接続されることがき、情報再生装置１０２に送信される情報をまとめる信号を送信可能とすることができる。情報は、広告主または他の情報プロバイダ１１８によってターゲットとされる仮想グリッド１１６のセルまたは複数のセル１１４の範囲内に、物理的に位置する情報再生装置に送信される。例えば、情報プロバイダ１１８は、特定の近隣地域または都市に位置する情報再生装置に対して、ターゲットとされた情報を展開することを選択できる。他の例では、広告主は、クルーズ船に乗った情報再生装置で情報が受信できるように、クルーズ船の軌道に位置するセルに対する情報をターゲットとすることができる。さらに他の例において、情報再生装置１０２は、衛星ラジオ、ＧＰＳナビゲーションシステムまたは自動車に取り付けられた電子広告掲示板とすることができる。
【００２６】
一実施例では、本発明のシステム及び方法は、特定のセルに位置する情報再生装置に対して、広告を選択的にターゲットとするために用いることができ、オプションとしてアプリケーション特有の方法でできる。情報再生装置１０２の電源を入れるかまたは情報再生装置１０２の特定のアプリケーションを開くと、信号が情報再生装置１０２から位置追跡システム１０４に送信される。位置追跡システム１０４は、情報再生装置１０２からの信号を、情報再生装置１０２の物理的な位置に対応するデータに変換する。情報再生装置１０２の物理的な位置に対応するデータは、その後（例えば、情報再生装置自体などの送受信機を介して）サーバ１０８に送信される。サーバ１０８は、このデータを処理し、情報再生装置１０２を仮想グリッド１１６のセル１１４ａに割り当てる。また、サーバ１０８は、情報再生装置１０２に送信される広告を信号にまとめさせ、情報再生装置１０２で再生される音声および／または映像のファイルに信号を変換して広告を作成する。情報は、「ポップアップ」タイプの情報として表示されてもよい。情報は、情報再生装置１０２上のメモリストアに保存できるファイルとして構成されてもよい（例えば、使用として保存できるクーポンまたはインセンティブ）。
【００２７】
一例では、携帯電話ユーザは、広告主が落札した入札（例えば、最も高い金額の入札または金額だけ以外の要因から算出された最高優先度スコアを有する入札）を提示した仮想グリッド１１６のセル１１４ａに入ることができる。システムプロバイダは、例えば、フェイスブック（商標）などの既存のウェブサイトを介して情報を出すことを提供することができる。ユーザがユーザの携帯電話でフェイスブック（商標）ウェブサイトにアクセスすると、広告主の情報が、例えば、ウェブページのトップに位置する情報スペースに、または、ウェブページ上の他の位置に表示されることができる。
【００２８】
一実施例では、ユーザには、システム１００を通じて展開される情報と相互作用するためのいくつかのオプションを与えることができる。相互作用するオプションは、ユーザがマップ上の広告主の位置を見ることができること、情報と関連づけられるウェブページへリンクすること、情報のビデオまたは音響映像バージョンを見ること、情報のオーディオのみのバージョンを聞くこと、広告主または情報と関連づけられた電話番号に電話すること、情報を他の人と共有すること、および／または、メモリストアにコンテンツを保存することの特徴を含むことができる。
【００２９】
ひとつの実施例では、本発明のシステム及び方法は、位置関連情報を配信するために、統合したメディアストリームを利用する。例えば、コンテンツプロバイダは、ビデオおよび／または音声フォーマットの広告／申し出を配信するために、種々のメディアストリームサービスを対象とすることができる（例えば、ＭＰ３、ＷＡＶ、ＡＩＦＦ、ＭＯＶ、ＦＬＶ、ＭＰＧ、ＭＶ３、ＡＶＩ、ＤＩＶＸおよびＤＶＢフォーマット）。ビデオ解像度は、例えば、標準の解像度または高解像度とすることができる。オーディオジャンルの対象は、オルタナティブ、ブルース、児童音楽、クリスチャン及びゴスペル、クラシック、コメディ、ダンス、電子、フィットネス及びワークアウト、ヒップホップ／ラップ、インディースポットライト、ジャズ、ラテンアメリカン、メタル、ポップ、Ｒ＆Ｂ／ソウル、レゲエ、ロック、シンガソングライタ、サウンドトラック、ボーカル、ワールドおよびオーディオブックとすることができる。ビデオジャンルの対象は、アクション及びアドベンチャー、アニメーション及び漫画、コメディ、ドラマ、家族、食品及びレジャー、家及び庭、ホラー及びサスペンス、音楽、ニュース及び情報、その他、リアリティ及びゲームショー、ＳＦ、スポーツ、トーク及びインタビュー、テレビゲーム、ポッドキャストおよびウェブとすることができる。ストリーミングサービスは、ｉＴｕｎｅｓ、ＬａＩａ、ＭｙＳｐａｃｅのＩｍｅｅｍ、ＨｕＩｕ、モバイルネットワーク（例えばＣＢＳモバイル、ＥＳＰＮモバイルなど）、及び、Ｓｉｒｉｕｓ無線装置、ＦＬＯＴＶ装置、Ｖｅｒｉｚｏｎ  ＶＣＡＳＴ、ＡＴ＆ＴモバイルＴＶ、タブレット及びオーディオブック装置などの装置とすることができる。コンテンツ配信は、トリガイベントの後、または、所定の時間間隔および／または数値間隔で発生することができ（例えば、３曲／ビデオごとまたは１０分ごと）、ここではアプリケーションが情報再生装置１０２の地理座標を取得し、関連したセルにおける最も高い入札でオーディオまたはビデオコンテンツを配信するため、データベース１１０に問い合わせ、情報再生装置１０２が現在示しているメディアのジャンルをターゲットとする。
【００３０】
ビデオストリーミングアプリケーションの例として、ユーザは、ニューヨークの通りを歩きながら、情報再生装置１０２のモバイルＨｕｌｕアプリケーションで「サタデーナイトライブ」を見ている。予め定められた各間隔（例えば、１０分ごと）の後、アプリケーションが情報再生装置１０２の座標を判断し、システム１００のコードが、それらの座標を解釈し、それがどのように仮想グリッド１１６に関係するかについて判断してユーザの現在のセル位置を判断し、そして、上述のように装置に対し位置適正ビデオフォーマット広告を提供する。音声ストリーミングアプリケーションの例として、ユーザは、モバイルパンドラアプリケーションでオルタナティブミュージック音楽を聞いている。予め定められた各間隔（例えば３曲ごと）の後、アプリケーションが情報再生装置１０２の座標を判断し、システム１００のコードが、それらの座標を解釈し、それがどのように仮想グリッド１１６に関係するかについて判断してユーザの現在のセル位置を判断し、そして、上述のように装置に対し位置適正オーディオフォーマット広告を提供する。再生装置１０２に送られる生放送は、システム１００に放送を中断するように指示して、装置１０２で再生しうる位置関連広告を送信するトリガー信号を含むことができ、それは予め定められた間隔にできる。広告は、システムに装置１０２での放送再開を指示するトリガー信号を含むこともできる。装置１０２自体は、いつコンテンツが再生されるか判断するようにプログラムされてもよい。一実施例において、システム１００は、装置１０２で再生する音声またはビデオ広告に関連がある装置１０２にバナー画像を表示するように構成されることができる。
【００３１】
他の実施例では、システム１００は、（例えば、Ｇｕｖｅｒａのようなウェブサイトと相互に作用することにより）カテゴリに関連して位置関連ブランドを配信するように構成される。装置１０２のユーザは、検索されるコンテンツ（例えば、音楽、ＴＶまたは映画）の断片毎に代金を払うブランドを選択する。そしてユーザは、同じジャンルの他のコンテンツへのアクセスを提供するブランドのチャネルを訪れる。本実施例において、システム１００は、クリックされ得ない装置１０２に広告を載せないよう構成できる。システム１００によって、コンテンツプロバイダがチャネルを生成し、そのチャネルのためのコンテンツスタイルを選択し、どのターゲット観衆がそのチャネルへアクセスを許されるかを選択することができる。これらのチャネルは、消費者へのメッセージを細かくするためにシステム１００と相互に作用でき、位置ターゲット配信または解決策を提供することができる。例えば、Ｘ社は、ダンス音楽が好きなシカゴの２１−２５歳の女性にターゲットが向けられたチャネルを有する。システム１００を用いると、Ｘ社は、この人口統計をターゲットにでき、チャネルのユーザが（例えば、選択されたセルに位置する）Ｘ社のストアを訪れるよう促す適切に位置するセルに対して広告を提供できる。
【００３２】
セル割り当て
システム１００は、システムのサービスについて登録するオンラインの特徴とともに、コンテンツプロバイダがコンテンツキャンペーンを追加し、管理し、取り除くことができる特徴を提供することができる。本システムは、コンテンツプロバイダが、特定のセルにおける情報配置について、または、コンテンツプロバイダにより選択される特定地域について入札可能にする特徴を提供してもよい。セルは、入札額、セル位置、時間／日付枠およびターゲットカテゴリ（例えば、興味がある選択エリアのアプリケーション）に基づくものを含む種々の優先度および選択性スキームに従い、コンテンツプロバイダに割り当てられることができる。
【００３３】
セル割当システムの典型的な構成において、コンピュータ上で実行するプログラムは、エリアを覆う仮想グリッドを作成し、そのエリアは例えば世界または国または地域、例えばアメリカ合衆国、北アメリカ、アジア、南アメリカまたはヨーロッパである。仮想グリッド内のひとつ又は複数のセルにおける情報配置は、コンテンツプロバイダに申し出される。申し出を受け入れると、セル割当システムは、セルまたは複数のセルが選択されたコンテンツプロバイダにより用いられて、例えば位置および／またはアプリケーション特有の方法で、セルまたは複数のセルの範囲内で情報再生装置にコンテンツを送信することを許容する。
【００３４】
一例として、ひとつ又は複数の（例えば、１、２、３、４、５、１０、１００、１０００またはそれ以上の）コンテンツプロバイダが、入札エリア内で情報配置権に対して少なくともひとつの入札をすることができる。落札した入札（例えば、コンテンツプロバイダによりなされた最も高額の入札）は、異なるコンテンツプロバイダによって提示される入札の中から選択されることができる。そして、落札した入札を提示するコンテンツプロバイダの情報は、入札エリア内で展開されることができる。非収益型アプリケーション開発者の広告は、広告主への支払いなくセルに送信できる。本方法を用いた情報の展開は、無線装置にインストールされるソフトウェアアプリケーションにより達成できる。
【００３５】
セル割当システムの一例においては、コンテンツプロバイダにセルを割り当てるのに階層型の方法が用いられる。この例では、２社（Ｘ社およびＹ社）が同じセルに対する権利を争っている場合、勝者を決定するために用いる変数は、（ａ）入札額、（ｂ）最も低いスケジュール優先番号、（ｃ）最も高いアプリケーション優先番号、（ｄ）どの会社が最初の入札をしたか（タイムスタンプ）および（ｅ）入札のため予算範囲、のうちの少なくとも２つ（例えば、２、３、４、または５）を含むことができる。従って、階層型の方法の例において、より高い入札をする会社は、セルに対する権利を獲得しうる（例えば、３ドルの入札するＸ社は、２ドルの入札をするＹ社に勝る）。しかしながら、入札に条件をつけた場合には、本システムは各会社のスケジュール優先番号を考慮する。スケジュール優先番号は、広告主が表示したい時間の総量に関連する。小さい総時間がコンテンツプロバイダにより入札されるほど、コンテンツプロバイダに割り当てられるスケジュール優先番号はより高くなる。従って、Ｘ社は一日中そのコンテンツを表示したいが、Ｙ社は特定の時間にだけそのコンテンツを表示したい場合、争っているセルに対する権利はその選択された時間についてはＹ社に与えられ、他の時間枠についてはＸ社に与えられる。この方法は、争っているコンテンツプロバイダがある時間に対して限られた予算を割り当て、コンテンツプロバイダが割り当てられた全予算を使い切る可能性を最小にする場合に好ましい。
【００３６】
２つの争っているコンテンツプロバイダが同じ入札をし、同じスケジュール優先番号を有する場合には、本システムは、各コンテンツプロバイダのアプリケーション優先番号を考慮する。コンテンツプロバイダのアプリケーション優先番号は、入札するのに選択するセル当たりの異なるアプリケーションカテゴリの数と関連する。例えば、システムは、コンテンツプロバイダが選択できる全１９のアプリケーションカテゴリを提供する場合、アプリケーション優先番号は１から１９ポイント（選択される各カテゴリ毎に１ポイント）の範囲になることができる。仮にＸ社が２つのアプリケーションだけを選択し（アプリケーション優先番号は２）、Ｙ社が１９全てのアプリケーションを選択（アプリケーション優先番号は１９）する場合、Ｙ社は選択された時間枠についてセルに対する全権利を獲得する。
【００３７】
２つの争っているコンテンツプロバイダが同じ入札をし、同じスケジュール優先番号とアプリケーション優先番号を有する場合には、本システムは、各コンテンツプロバイダのタイムスタンプ（最初の入札時間）を考慮する。すなわち、Ｘ社がＹ社の１時間前にその入札を提示する場合、Ｘ社に、争っているセルおよび時間枠に対する権利を割り当てうる。階層型の方法の他の例においては、セル又は一連のセルに対する落札は、入札−落札基準に対して異なる優先度を割り当てることにより決定されることができる。例えば、その基準の優先度は、（ａ）入札額、（ｂ）最初の入札をした会社（タイムスタンプ）、（ｃ）最も低いスケジュール優先番号、及び（ｄ）最も高いアプリケーション優先番号とすることができる。
【００３８】
落札を決定するのに用いてもよい他の要因は、入札のための予算範囲である。入札のための予算範囲は、入札するコンテンツプロバイダが選択するセルに対する入札予算範囲を設定することを必要とする。セル又は一連のセルに関して入札予算範囲を設定することにより、入札に負けそうな場合には、コンテンツプロバイダの入札が（例えば、最大額まで）自動的に引き上げられることができる。例えば、Ｘ社が０．５０−０．７５ドルの入札予算範囲を設定し、０．５０ドルのセルに入札する場合、Ｙ社による０．５１ドルの入札がＸ社の入札を自動的に０．５１ドルへ増加させうる。従って、Ｙ社の入札は、０．７５ドルを超えたときだけ、システム上に掲示されうる。いくつかの実施例では、システムによって、入札するコンテンツプロバイダに警報を発生させ、その予算を増加することを許容することができる。
【００３９】
仮想グリッドにおけるセルの割当ては、上述の通りオークションによることができる。あらゆる適切なオークションの形態が用いられてもよく、例えば、イングリッシュオークション、ダッチオークション、プロキシ入札、封印第１価格オークション、ヴィッカリーオークション、買収オークションまたは組合せのオークションでもよい。オークションは、予約ありまたはなしのものとすることができる。セル／時間枠に対する権利は、常にではないが典型的には、最も高い入札者に与えられる。入札はリアルタイムで、または遅延してもよく、インターネットなどの通信ネットワークを介して行われる。入札情報を伝達する適切な手段が用いられてもよく、例えば、有線のおよび／または無線の（例えば、無線周波数、ブルートゥース、赤外線）通信システムでもよい。
【００４０】
なされる入札は、最も高い入札から、リアルタイム、分、時間、日、週、月、年、リースするための入札、購入するための入札、予算のための入札、広告掲示板のための入札などに及ぶ。セルに関する入札は、２又は３次元で幅があってもよい。セルに関する入札は、高さに幅があってもよい。他の広告媒体の統合に関する将来の入札能力もある。入札は、個々の仮想セルまたはセルのグループ、または、「パッケージ」に関するものでもよく、例えば、コンテンツプロバイダは、検索エンジン、固定広告掲示板および仮想セルでのテキスト広告を含むコンテンツ提供パッケージに対する権利に入札する。さらに、入札システムは、ナスダックやニューヨーク証券取引所などの株式市場システムにおいて証券について入札する方法と同様に、セルと相互に作用する入札アルゴリズムを使用してもよい。入札アルゴリズムは、所定のセル又は一連のセルの人口統計情報と関連する量（例えば、人口密度、一人当たりの収入、一人当たり支出、一人当たりの選択された商品またはサービスの支出、所定時間当たりの情報再生装置の使用回数または情報再生装置により用いられるアプリケーションのタイプのパーセンテージ）などの変数と入札活動を利用してもよい。
【００４１】
オークションの一変形例においては、入札の増分は、予め定められた最小限の額である（すなわち、Ｘ社は、その入札を掲示するには、Ｙ社の入札に少なくとも入札の増分をプラスして入札しなければならない）。現在の最も高い入札は封印されることができるが、好ましくは入札競争を刺激するために常に表示される。オークションスタイルのリストに関する入札の例として、セルに対する入札は１．００ドルで始まることができ、入札の増分は０．２０ドルに設定されることができる。Ｘ社がセルに対して３．００ドルで入札し、他の入札がされない場合、システムは、現在の勝者は、Ｘ社で１．００ドルの入札であり、最小限の許容可能な入札は１．２０ドルであることを表示でき、上述の１．２０ドルは、上述の勝っている入札に入札の１増分を加えたものに等しい。そしてＹ社がそのセルに対して２．００ドルで入札する場合、システムは、まだ現在の勝者はＸ社で２．２０ドルの入札であることを表示し、それは２番目に高い入札（２．００ドル）に入札増加量（０．２０ドル）を加えたものに等しい。システムは、最小限の許容可能な入札が２．４０ドルであることを表示し、それは勝っている入札より入札の１増分したものである。そして、Ｙ社が５．００ドルで入札する場合、システムは、現在勝っている入札者はＹ社で３．２０ドルの入札であることを表示し、それは２番目に高い入札（３．００ドル）に入札の増分（０．２０ドル）を加えたもの等しい。Ｙ社が仮にオークションに勝つとしたら、以前の入札が５．００ドルの場合でも、落札した入札（３．２０ドル）に等しい額を払わなければならないであろう。
【００４２】
セル割当システムの発明の動作の一例において、コンテンツプロバイダは、情報、インセンティブおよび広告などのコンテンツを世界のどこでもひとつ又は複数のセルに出す権利に対して入札し、このようなコンテンツが、送信されたコンテンツを表示可能にするスクリプトを実行する有線または無線の装置などの情報再生装置で見ることができるようにする。コンテンツプロバイダは、インターネットまたは他の通信ネットワークを介してシステムにアクセスできる。システムのユーザインタフェースまたはウェブページは、コンテンツプロバイダがそれを介してウェブサイトをナビゲートできるメニューまたは一連のタブを有することができる。許可されたユーザ名およびパスワードを提供した後に、コンテンツプロバイダは、「ビルボード」タブをクリックして、特定のキャンペーンおよび広告掲示板を作成しおよび／または管理するためのウェブページを開くことができる。キャンペーンは、関連した広告掲示板をグループに編成するために用いる。ユーザは、キャンペーンを加えまたは削除することができ、各キャンペーンの固有の名前を入力できる。
【００４３】
ビルボードページは、ユーザが広告掲示板を加え、編集し、削除することができるように配置される。一例として、ビルボードページは、所定の動作を識別して、実行するためのいくつかの記入フィールドを含んでもよい。例えば、広告掲示板名前フィールドは、特定の広告掲示板を識別する名前を割り当てるために用いることができる（例えば、郵便番号）。ビルボードページは、ユーザが特定の広告掲示板にひとつまたは複数の（例えば、１、２、３、４、５、６またはそれ以上の）キャンペーンを割り当てることを可能にするキャンペーン選択フィールドを有してもよい。ビルボードページは、消費者が情報再生装置でコンテンツを見るときに、ユーザが表示できる追加テキストをそこに入力できるビルボードテキストフィールドを含んでもよい。
【００４４】
「ビルボードバナー」フィールドが、ビルボードページに含まれてもよい。ビルボードバナーは、第１の画像で満たされることができ、所定のアプリケーションまたはウェブサイトを開くときに、情報再生装置ユーザが見る。いくつかの実施形態では、コンテンツプロバイダは、ビルボードページの「広告掲示板画像」フィールドの画像をアップロードすることができる。広告掲示板画像は、情報再生装置ユーザがバナー画像をクリック（または選択）した後に見る画像である。バナー画像は、一般に広告掲示板画像（例えば、幅３１４ピクセル、高さ２４６ピクセルで、ＪＰＥＧフォーマット）より小さい（例えば、幅３１４ピクセル、高さ６６ピクセルで、ＪＰＥＧフォーマット）。もちろん、バナー画像および広告掲示板画像は、あらゆる適切なサイズのものでもよく、追加画像フィールドが、システムおよび情報再生装置の構成に応じて追加されることもできる。
【００４５】
ビルボードページは、ＵＲＬが入力されることができる「ウェブリンク」フィールドを含んでもよい。情報再生装置ユーザがビルボード画像をクリックすると、情報再生装置はユーザをＵＲＬと関連づけられるウェブサイトに向ける。「マップ識別子」フィールドも、ビルボードページに含まれてもよい。このフィールドには、コンテンツプロバイダは、その事業の名称および／または事業の住所を入力でき、それは情報再生装置のマッピングアプリケーションに送信されることができる。キーワード（例えば、事業の名称）がマップ識別子フィールドに入力される場合、情報再生装置周辺における全てのまたはいくつかの事業の場所が表示できる。
【００４６】
ビルボードページは、ビデオリンクフィールドおよび／または音声リンクフィールドを含むこともできる。コンテンツプロバイダは、ビデオリンクフィールドにＵＲＬを入力できる。ＵＲＬは、ウェブサーバでの．ＭＰＧファイルなどの形式（または他の適切なビデオファイル形式）でのビデオファイル、または、ＹｏｕＴｕｂｅリンクなどのビデオファイルへのリンクを含むことができる。．ＭＰＧファイルが用いられる場合、ビデオファイルは情報再生装置のメディアプレーヤで再生される。ＹｏｕＴｕｂｅリンクが提供される場合、ＹｏｕＴｕｂｅアプリケーションが起動され、ビデオはＹｏｕＴｕｂｅアプリケーションによって表示される。同様に、コンテンツプロバイダは、音声リンクフィールドにＵＲＬに入力できる。ＵＲＬは、ウェブサーバで．ＭＰＧファイルなどの形式でオーディオファイルを含むことができる。．ＭＰＧファイルが用いられる場合、オーディオファイルは情報再生装置のメディアプレーヤで再生される。
【００４７】
「電話番号」フィールドが、ビルボードページに設けられることもできる。コンテンツプロバイダは、このフィールドに電話番号を入力でき、情報再生装置ユーザが、電話番号に関連したコンテンツプロバイダまたは他者に電話できるようにする。さらに、ビルボードページは、「年齢評価」フィールドを含んでもよい。このフィールドに年齢評価（例えば、４＋（４歳以上の年齢）、９＋（９歳以上の年齢）、１２＋（１２歳以上の年齢）、１７＋（１７歳以上の年齢）、または２１＋（２１歳以上の年齢））を入力することにより、コンテンツプロバイダは、どのユーザが情報再生装置に提供されるコンテンツに適している年齢か制御しまたは示唆することができる。
【００４８】
個々の広告掲示板にナビゲートするために、ユーザは、キャンペーンリストにあるキャンペーン名をクリックし、そのキャンペーンに付属する広告掲示板とともに、広告掲示板リストにデータを読み込むことができる。そしてユーザは、広告掲示板を見て、編集しまたは削除するために、広告掲示板の名前をクリックできる。広告掲示板を削除するときに、削除をキャンセルするか確認するために確認ウインドウが表示される。広告掲示板がある位置（下記参照）で現在使用中である場合、その場所および関連する入札は保留の状態にされる。
【００４９】
コンテンツプロバイダは、ユーザが仮想グリッド内の特定のセルまたはセルのグループを選択できるようにするウェブページを開くため、「ロケーション」タブをクリックできる。セルのグループは、国／地域、州／地方、都市／地区および郵便番号などの階層型の方法で編成されることができる。ロケーションウェブページは、ユーザがロケーションブラウザまたはマップアプリケーションを使用するセルのグループを選択できるように配置される。ロケーションウェブページにおいて、ユーザは、まず位置を管理するキャンペーンを選択でき（例えばドロップダウンメニューを使用して）、そして、キャンペーンが関連づけられるひとつ又は複数の位置を選択できる。ウェブサイト上のロケーションブラウザアプリケーションは、親子配列で展開されまたは折り畳まれることができるツリー構造で編成されることができる。ツリーの最上位は国にすることができ、次のレベルは州または地方、そして都市／地区、最後に（セルでありえる）郵便番号で定義される地域にすることができる。
【００５０】
ロケーションウェブページは、全親子位置のとなりにチェックボックスまたは他の選択機能を含むことができ、ユーザが位置を選択しまたは選択解除できるようにする。ユーザがウェブページ上のマップのロケーション名をクリックする場合、ウインドウが、チェックボックスとともにカーソルのとなりに現れ、ユーザがそのチェックボックスを使用して位置を追加しまたは取り除けるようする。システムは、マップをナビゲートする複数のツールを提供するように調整されることができる。例えば、ツールは、ユーザが「入力ロケーション」検索ボックスに場所を入力できるようにすることができる。入力ロケーション検索フィールドは、ユーザが、国、地域、州、地方、都市、地区、郵便番号または番地などの位置情報を入力できるようにする。マップは、マップ周辺の境界にある矢印をクリックするか、または拡大・縮小するためにマップの下に位置するスライダツールを使用することにより、移動されることができる。「ロケーション検索」をクリックすることは、例えば、入力ロケーション検索フィールドに入力される場所に集中するために、マップの位置を更新する。
【００５１】
マップがセルレベルにズームされると、ストリートマップを覆うグリッドがウェブページ上に現れる。グリッドは、マップを各々ユニーク識別子（例えば、数、アルファベットまたは英数字のフォーマット）でラベル付された仮想セルに分割する。チェックボックスまたは他のセレクタによって、ユーザがセルを選択するかまたは選択解除できるようにする。セルのチェックボックスの隣の矢印をクリックすると、半径変数フィールドと、そのセルに対する一日平均インプレッション（すなわち、コンテンツがセルの情報再生装置に押しだされる平均回数）と、そのセルに対する提案された最低入札額とを明らかにするための識別子ウインドウを展開する。半径フィールドに数を入力するときに、結果として生じるその半径内にあるすべてのセルが自動的に選択されて、ユーザの選択された場所に追加される。さらに、「オープンレート」（コンテンツがターゲットとされたセルの情報再生装置のユーザによって選択される回数）は、追跡でき、表示できる。
【００５２】
識別子ウインドウがリアルタイム結果を提供するために展開されると、一日平均インプレッションおよび提案された最低入札額が更新できる。識別子ウインドウの色付きのボックスは、現在セルで行われている入札区分を視覚的に表すために使用されることができ、例えば、０．１０−０．２０ドルは藍色、０．２１−０．３０ドルは青、０．３１−０．４０ドルは黄色、０．４１−０．５０ドルはオレンジおよび０．５１ドル以上は赤である。セルレベルでマップを見ると、色キーは、色付きの正方形ごとに値を示すように現れることができる。他の実施例においては、活動量を表示するための他の装置が、用いられてもよく、例えば、活動ボリュームが増加するにつれて暗くなるアイコン、または、活動ボリュームが増加するにつれてサイズ又は複雑さが増すアイコンなどの傾斜である。
【００５３】
位置を取り扱った後に、ユーザは、選択された位置を保存することができ、または（例えば、「変更を取り消す」を選択することにより）それらを受けつけることができない。選択された位置を保存することは、選択された位置を確定し、ユーザがそれらの位置への入札を開始できるようにする。「変更を取り消す」を選択すると、もしあれば、以前に保存された場所にシステムを戻す。ユーザが場所を保存して、入札部において現在使用中である位置を取り除くとき、通知は、ユーザに除去を確認するよう依頼し、この位置が入札部から取り除かれることを通知する。
【００５４】
セルについて入札するために、コンテンツプロバイダは、「入札」タブをクリックして、例えばインプレッション当たりの支払い（ＰＰＩ）で、ユーザが仮想グリッド内の選択された個々のセルの中でコンテンツを出す権利に対して入札を提示できるようにするウェブページを開くことができる。従って、コンテンツプロバイダは、最大の予算を個々のセルに出すことができ、リスクのないプラットフォームで消費者を対象とすることができる（すなわち、一旦予算が使い果たされると、更なる負担は生じない）。インプレッションと関連づけられたアプリケーションが選択セルにおいて開かれるまで、コンテンツプロバイダがインプレッションの代金を払わないように、システムを調整することもできる。
【００５５】
入札ウェブページにおいて、ユーザは、入札を取り扱うことを望むキャンペーンを選ぶことができる。キャンペーンは、位置リストより上にドロップダウンメニューで提示されることができる。キャンペーンを選択した後に、キャンペーンに関連した位置が、位置リストに現れる。位置をクリックした後に、入札ウインドウがウェブページに現れる。このウインドウにおいて、ユーザは、選択された位置に対する１日の予算、インプレッション当たりの最高入札額（最大入札）、選択された位置と関連づけられる広告掲示板、ターゲットのアプリケーションおよび／またはひとつまたは複数のモバイルウェブサイトカテゴリ（ターゲットカテゴリ）、および、入札がアクティブになる日付及び時間を入力することができる。１日の予算は、コンテンツプロバイダが１日当たりその位置に対して費やしたい最高額である。最高額に達すると、この位置はもはやアクティブでない。ターゲティングの将来の手段は、市場特定の商品またはサービスが市場に出される市場セグメント、年齢、性別、地理、社会経済グループ、テクノグラフィック（特徴及び挙動）または人口統計の他の組合せ、製品、サービス及び使用のひとつまたは複数（例えば、１、２、３、４、５、６、７、または８）に基づくことができる。
【００５６】
入力される最大入札は、コンテンツプロバイダが毎回どの程度を請求されるかを決定し、情報再生装置は、アプリケーションに又はセルのモバイルウェブサイトに広告掲示板バナーを表示する。この数は、どのコンテンツプロバイダがセルに対する最も高い入札者であるかを決定するために用いることができる。選択ビルボードエリアは、選択されたキャンペーンと関連づけられるすべての広告掲示板を表示できる。コンテンツプロバイダは、（例えば、強調することまたはクリックすることにより、）選択されたひとつで示される特定の広告掲示板を選択できる。
【００５７】
入札ウェブページでのターゲットのカテゴリセクションにより、コンテンツプロバイダがアプリケーションカテゴリおよびモバイルウェブサイトのいずれかが選択または選択解除できるようになり、選択されたコンテンツが現れるようにしたい。このカテゴリは、すべてのカテゴリをデフォルトとして選択するように調整されることができる。ウェブページ上の広告掲示板スケジューリングエリアは、コンテンツプロバイダがアクティブにするひとつに関する入札のための日付範囲を選択できるようにする。コンテンツプロバイダは、週のどの日か、それらの日のうち場所に対する入札がアクティブになる時間を選択することもできる。設定を保存した後に、入札は、入札システムでアクティブになる。
【００５８】
コンテンツプロバイダは、ウェブページ上のチェックボックスを選択することによって、その入札を保留の状態にすることを選ぶこともできる。入札を保留の状態にすることは、ボックスが解除されるまで入札を凍結させる。個々のセルに対する設定を適用するのと同様に、システムは、上述の設定が複数のセルを含む親の位置に適用できるように調整されてもよい。例えば、郵便番号６０６０１の位置に対して設定されるとき、入札ウェブページは、チェックボックスを有し、チェックボックスが選択されると６０６０１の郵便番号の中の特定のセルについての親の設定を適用することができる。設定が同じままである一方で、セル当たりの１日の予算は、選択されるセルの数によって親の位置に対して設定される総予算を分けることで算出されることができる。例えば、郵便番号６０６０１の位置に対する最大の１日の予算として１０００ドルが設定され、６０６０１の郵便番号内の１０のセルが選択される場合、セル当たりの最大の１日の予算は、１００ドルになる。コンテンツプロバイダは、親の位置設定を使用するためのチェックボックスを解除することによって、これらの設定を取り消すことができ、コンテンツプロバイダは個々のセルに対するカスタムメイドの設定を提供できるようにする。入札ウェブページは、マップ上に選択された位置を視覚的に表示するために更新できる参照マップを含むこともできる。
【００５９】
本明細書にて説明されるシステムは、例えば、支払いのあるコンテンツプロバイダに割り当てられないセルについて。費用がほとんどかからないか全くかからずにアプリケーションを広告するためにアプリケーション開発者のセルの使用を提供するように構成されてもよい。このシステムにおいて、仮想グリッドのひとつ又は複数のセル／時間枠が、アプリケーション開発者に割り当てられることができる。割り当てられたセル／時間枠の範囲内の情報再生装置は、開発者のバナー広告を表示することができ、その広告はユーザによって選択されると、再生装置をアプリケーションにリダイレクトすることができる。そのアプリケーションは、セル割当システムの所有者によって供給されるひとつ又は複数のインプレッション当たりの支払いの広告を含むことができ、このようなインプレッション当たりの支払いの広告からの収入は、アプリケーション所有者およびセル割当システムの所有者によって分配することができる。
【００６０】
システムは、広告を出して、収入を分配するためにアプリケーション開発者コードおよびフォーマットを提供するよう調整されることができる。この点に関して、システムは、許可された開発者がインターネットなどの通信ネットワークを通じてアクセスできるアプリケーションおよびサイトウェブページを含むことができる。アプリケーションおよびサイトウェブページは、開発者がアプリケーション、モバイルウェブサイトおよびそれらのアカウントについてのプロモーション用コンテンツを閲覧し、編集し、削除し、追加できるように構成される。新たなアプリケーションを追加するとき、開発者はアプリケーションおよびサイトリストにアプリケーションを識別するために用いる一意的なアプリケーション名を入力できる。開発者は、例えば、アプリケーションの広告が情報再生装置において見られるときに示されるアプリケーションについて、テキスト情報を入力できる。開発者は、例えばアップルｉＰｈｏｎｅ、グーグルのＧ１またはＲＩＭのブラックベリーストームなどのモバイルプラットフォームオプション（情報再生装置の種類）とともに、そのアプリケーションのためのバナー画像および広告画像を選んでもよい。例えば、開発者はアプリケーションがテキストを表示する言語、例えば英語、フランス語、中国語、または、スペイン語を選択することもできる。
【００６１】
アプリケーションおよびサイトウェブページは、開発者がアプリケーションカテゴリ（またはチャネル）を選択できるようにするアプリケーションカテゴリフィールドを含んでもよく、それはソーシャルネットワーク、コミュニティ、自動車、事業、コンピューティング及び技術、家電、健康及び健康、時事及び政治、デジタルカルチャー、ＰＣ及びテレビゲーム、旅行、文脈検索、文脈検索ダウンロード、スポーツ及びレクリエーション、ポータル、芸術及び娯楽、または、ニュース及び情報などである。上述の入札システム及び方法は、権利に関して入札する入札者がひとつ又は複数のチャネルカテゴリにコンテンツを選択的に出すよう調整されることができる。例えば、入札システムは、ターゲットのセルまたは一連のセル中で、入札者が選択されたアプリケーション、チャネルまたはネットワークサブセット（例えば、ひとつ又は複数の携帯電話網、輸送ネットワークまたはモバイルウェブサイトネットワーク）だけに関して入札できるように調整されてもよい。
【００６２】
さらに、ダウンロードリンクフィールドが、アプリケーションおよびサイトウェブページに含まれてもよい。ＵＲＬが、このフィールドに追加でき、情報再生装置ユーザが装置を用いてダウンロードリンクを選択するときに、ユーザが、アプリケーションをダウンロードするために提供されるリンクに向けられるようにする。上述の通りに機能する年齢評価フィールドが、ウェブページに含まれてもよい。システムにアプリケーションを保存した後に、開発者は、入力される情報を検討することができ、広告をそのアプリケーションに組み込むためのコードとツールを含む開発者ツールキットをダウンロードできる。このコードは、アカウントに追加される全アプリケーションごとに、一意的なキーを含んでもよい。システムのオーナーは、開発者コンテンツ送信を制御することができ、例えば、システムのオーナーが提案されたアプリケーションを承認するまで、広告が情報再生装置の方に押しだされないようにする。
【００６３】
アプリケーションおよびサイトウェブページにより、開発者がモバイルウェブサイトをシステムに追加できる。モバイルウェブサイトページは、開発者がモバイルウェブサイトの名前、サイトを記載するテキスト、バナー画像、広告画像、言語、ウェブサイトカテゴリ、ウェブサイトリンクおよび年齢評価を追加できるフィールドを含むことができる。他の態様のシステムに対して、上述のようにこれらのフィールドに情報が追加できる。選択されたセル／時間枠の情報再生装置は、バナー画像を表示することができ、広告画像を表示するために、ユーザによって起動されることができる。広告画像（または場合によってはバナー画像）を選択すると（例えばクリックすると）、情報再生装置をモバイルウェブサイトが位置するウェブサイトリンクＵＲＬにリダイレクトする。
【００６４】
所定の実施例では、本発明の方法およびシステムは、ディスプレイに装備されたタッチスクリーンなどのモバイルディスプレイを利用することができる。好適なモバイルディスプレイは、適切なサイズのものとすることができ、ディジタルディスプレイ、（例えば経度および緯度によって）ディスプレイの位置を判断する地理位置情報コンポーネント、およびディジタルディスプレイに送信されることができる情報を格納するデータベースを含むサーバと通信するためのコンポーネントを含むことができる。モバイルディスプレイは、さまざまなサイズの範囲にあり、それは、車両（例えば、自転車、自動車、バス、トラック、タクシー、電車、航空機およびボート）、または他のさまざまな移動アイテム（例えば、バックパックまたは人が着ている衣類）に、内部にまたは外部に取り付けられることができる。グリッドで移動するときにディスプレイが第１のセルを入力するので、ディスプレイが新たに取得した情報を再生するように、問い合わせて情報（例えば、広告）をサーバから受信できる。表示される情報は、上述の入札処理に従って、サーバで判断できる。ディスプレイが第１のセルから離れて、第２のセルを入力するとき、表示される情報は変化することができる。
【００６５】
上述の変形例の１つでは、モバイルディスプレイに関する情報は、テキストメッセージ通信（例えばＳＭＳまたはＭＭＳアプリケーションを用いて）を含むことができる。例えば、表示は、メッセージ（関連した位置、情報プロバイダのコンテンツの合併およびシステムプロバイダのコンテンツとすることができ、および／または、物理アドレスまたはウェブアドレスを含むことができる）を再生することができ、システムまたは情報プロバイダの電話番号に対する識別番号の申出（例えば、５５５−５５５−１２３４に対するテキスト１２３４）であるテキストメッセージへ視聴者を案内する。そして、システムまたは情報プロバイダは、申出またはウェブリンクの詳細を、モバイルディスプレイに例えばテキストメッセージで送信することができる。タッチスクリーンを装備したディスプレイにおいて、ユーザは、例えば、「マップ上の参照」、「自身へ送信」、「友人へ送信」、「ビデオ広告の閲覧」、および、「音声広告を聞くこと」を含むタッチスクリーンアプリケーションを使用して、さまざまなタスクを実行することもできる。
【００６６】
所定の実施例では、本発明の方法およびシステムは、高速道路脇のデジタル広告掲示板などの固定ディスプレイを利用することができる。好ましい固定ディスプレイは、ディジタルディスプレイ、ディジタルディスプレイに送信できる情報を格納するデータベースを含むサーバと通信するコンポーネント、ディスプレイ固定位置を示すコンポーネント、及び、オプションとしてタッチスクリーンインタフェースを含む。固定ディスプレイは、上述のモバイルディスプレイに同様に動作するよう構成できる。
【００６７】
本発明の方法およびシステムは、ユーザ報酬プログラムを取り入れてもよく、そこでは例えば閲覧者は、情報再生装置に表示されるコンテンツをクリックする毎のポイントを収集することができる。収集したポイントは、商品および／またはサービスと交換されることができる。プログラムを使用するために、ユーザは、システムオペレータに個人のおよびおそらく人口統計の情報を提供することを含むであろう処理のアカウントを最初に作成しなければならない。システムは、ユーザのシステム上の活動を追跡するよう構成でき、これらの活動に基づいてユーザに対しコンテンツ配信が具体的にターゲットにされることができるようになる。ユーザが報酬ポイントを受けるのに必要な活動を完了したかどうか決定するために、フィルタが実装されもよい。フィルタは、例えば、表示されたコンテンツに関する質問を含んでもよく、ＣＡＰＴＣＨＡコード、双方向符号化などを入力してもよい。ユーザがフィルタを通過すると、ポイントが与えられる。
【００６８】
本発明の方法およびシステムは、検索エンジンを利用することができる。検索エンジン論理の一例は、ユーザが検索エンジンフィールドに検索キーワードを入力すると、結果のレコードは、ユーザが位置する現在のセルによってフィルタされ、ユーザは、いくつくらい周囲のセルについて結果を参照することを望むかに関する好みを設定することができる。別の例として、システムは、広告及び申出を提供することができ、それらは検索エンジンに入力されるキーワードに関連してユーザの現在のセル位置によりフィルタされる。
【００６９】
本発明の方法およびシステムは、他の特徴を含むこともできる。例えば、セルくじが用いられることができる。そこでは、周期的に、セルがランダムに選択され、その日のそのセルから収入、二倍の報酬ポイント、賞など全てを受けるアプリケーション開発者のように、その期間の間のセルのユーザは、報酬または割引を受ける。他の変形例において、コンテンツプロバイダが、同じカテゴリをターゲットとするキャンペーンにおいて複数の申出をアップロードした場合、その申出は、選択されたセルの情報再生装置に、ランダムに配信されることができる。いくつかの実施例では、情報再生装置がインターネットに接続できなくておよび／または装置の位置を確定できない場合、デフォルトの規則（例えば、装置が決定したデフォルト画像、システムプロバイダが決めたデフォルト画像、自動的にコンテンツ表示エリアを隠すなど）が用いられる。
【００７０】
他の実施例
本発明がその詳細な記載に関連して説明されるのに対し、上述の記載は本発明を例示することを目的とし、添付の請求の範囲の範囲によって定義される本発明の範囲を制限しないと理解すべきである。他の態様、効果および変形は、以下の請求項の範囲内である。入札エリアは、複数のセル（例えば、位置Ｘの１０ｋｍ内にあるすべてのセルのように、定位置からある半径で定められる一連のセル）のひとつ又は複数のセルを含むことができる。
【図１】
0005751632.tif 000002